(57)【要約】【課題】カスタマイズによって非表示に変更されている動作モード設定キーを、簡単な手順で復元表示して速やかにその機能を利用できる使い勝手の良い画像処理装置等を提供する。【解決手段】動作モードを設定するための複数の動作モード設定キーが表示されたキー選択画面を表示可能な表示手段１２と、ユーザの操作に基づいて、前記キー選択画面に表示される複数の前記動作モード設定キーの中の少なくとも一つの設定キーを非表示に変更するカスタマイズ手段１と、前記カスタマイズ手段により非表示に変更された動作モード設定キーを、前記キー選択画面に復元表示させる復元手段１を備えている。【選択図】図７
2011066840.tif 000002
【特許請求の範囲】
【請求項１】
動作モードを設定するための複数の動作モード設定キーが表示されたキー選択画面を表示可能な表示手段と、
ユーザの操作に基づいて、前記キー選択画面に表示される複数の前記動作モード設定キーの中の少なくとも一つの設定キーを非表示に変更するカスタマイズ手段と、
前記カスタマイズ手段により非表示に変更された動作モード設定キーを、前記キー選択画面に復元表示させる復元手段と、
を備えていることを特徴とする画像処理装置。
【請求項２】
前記復元手段は、前記非表示に変更された動作モード設定キーを、非表示に変更されていない動作モード設定キーとは表示態様を区別して前記キー選択画面に復元表示させる請求項１に記載の画像処理装置。
【請求項３】
前記表示手段は、前記非表示に変更された動作モード設定キーを一覧表示可能であり、前記復元手段は、前記一覧表示された複数個の動作モード設定キーの中から選択された動作モード設定キーを前記キー選択画面に復元表示させる請求項１または２に記載の画像処理装置。
【請求項４】
前記復元手段は、前記非表示に変更された動作モード設定キーを、カスタマイズされる前と同じレイアウトで前記キー選択画面に復元表示させる請求項１〜３のいずれかに記載の画像処理装置。
【請求項５】
１個または複数個のジョブ履歴と各ジョブで実行されたジョブの動作モードを記憶する記憶手段を有し、
前記表示手段は、ユーザによって前記いずれかのジョブ履歴が選択されたときに、ジョブ履歴に対応するジョブの動作モードまたは動作モード設定キーを、非表示に変更されている動作モード設定キーまたはこれに対応する動作モードと、非表示に変更されていない動作モード設定キーまたはこれに対応する動作モードとで区別して表示可能であり、
前記復元手段は、前記表示された非表示に変更されている動作モード設定キーまたはこれに対応する動作モードの中から選択された動作モード設定キーまたは選択された動作モードに対応する動作モード設定キーを、前記キー選択画面に復元表示させる請求項１〜４のいずれかに記載の画像処理装置。
【請求項６】
前記表示手段は、ユーザの操作補助として動作モード設定キーについて説明するヘルプ画面において、非表示に変更されている動作モード設定キーと非表示に変更されていない動作モード設定キーとを区別して表示可能であり、
前記復元手段は、前記表示された非表示に変更されている動作モード設定キーの中から選択された動作モード設定キーを前記キー選択画面に復元表示させる請求項１〜５のいずれかに記載の画像処理装置。
【請求項７】
動作モードを設定するための複数の動作モード設定キーが表示されたキー選択画面を表示手段に表示するステップと、
ユーザの操作に基づいて、前記キー選択画面に表示される複数の前記動作モード設定キーの中の少なくとも一つの設定キーを非表示に変更するステップと、
前記非表示に変更された動作モード設定キーを、前記キー選択画面に復元表示させる復元ステップと、
を備えていることを特徴とする画像処理装置におけるキー選択画面の表示方法。
【請求項８】
前記復元ステップでは、前記非表示に変更された動作モード設定キーを、非表示に変更されていない動作モード設定キーとは表示態様を区別して前記キー選択画面に復元表示させる請求項７に記載のキー選択画面の表示方法。
【請求項９】
前記非表示に変更された動作モード設定キーを表示手段に一覧表示するステップを備え、
前記復元ステップでは、前記一覧表示された複数個の動作モード設定キーの中から選択された動作モード設定キーを前記キー選択画面に復元表示させる請求項７または８に記載のキー選択画面の表示方法。
【請求項１０】
前記復元ステップでは、前記非表示に変更された動作モード設定キーを、カスタマイズされる前と同じレイアウトで前記キー選択画面に復元表示させる請求項７〜９のいずれかに記載のキー選択画面の表示方法。
【請求項１１】
１個または複数個のジョブ履歴と各ジョブで実行されたジョブの動作モードを記憶手段に記憶するステップと、ユーザによって前記いずれかのジョブ履歴が選択されたときに、ジョブ履歴に対応するジョブの動作モードまたは動作モード設定キーを、非表示に変更されている動作モード設定キーまたはこれに対応する動作モードと、非表示に変更されていない動作モード設定キーまたはこれに対応する動作モードとで区別して表示手段に表示するステップとを備え、
前記復元ステップでは、前記表示された非表示に変更されている動作モード設定キーまたはこれに対応する動作モードの中から選択された動作モード設定キーまたは選択された動作モードに対応する動作モード設定キーを、前記キー選択画面に復元表示させる請求項７〜１０のいずれかに記載のキー選択画面の表示方法。
【請求項１２】
ユーザの操作補助として動作モード設定キーについて説明するヘルプ画面において、非表示に変更されている動作モード設定キーと非表示に変更されていない動作モード設定キーとを区別して表示手段に表示するステップを備え、
前記復元ステップでは、前記表示された非表示に変更されている動作モード設定キーの中から選択された動作モード設定キーを前記キー選択画面に復元表示させる請求項７〜１１のいずれかに記載のキー選択画面の表示方法。
【請求項１３】
動作モードを設定するための複数の動作モード設定キーが表示されたキー選択画面を表示手段に表示するステップと、
ユーザの操作に基づいて、前記キー選択画面に表示される複数の前記動作モード設定キーの中の少なくとも一つの設定キーを非表示に変更するステップと、
前記非表示に変更された動作モード設定キーを、前記キー選択画面に復元表示させる復元ステップと、
を画像処理装置のコンピュータに実行させるためのキー選択画面の表示制御プログラム。
【請求項１４】
前記復元ステップでは、前記非表示に変更された動作モード設定キーを、非表示に変更されていない動作モード設定キーとは表示態様を区別して前記キー選択画面に復元表示させる処理をコンピュータに実行させる請求項１３に記載のキー選択画面の表示制御プログラム。
【請求項１５】
前記非表示に変更された動作モード設定キーを表示手段に一覧表示するステップをさらにコンピュータに実行させ、
前記復元ステップでは、前記一覧表示された複数個の動作モード設定キーの中から選択された動作モード設定キーを前記キー選択画面に復元表示させる処理をコンピュータに実行させる請求項１３または１４に記載のキー選択画面の表示制御プログラム。
【請求項１６】
前記復元ステップでは、前記非表示に変更された動作モード設定キーを、カスタマイズされる前と同じレイアウトで前記キー選択画面に復元表示させる処理をコンピュータに実行させる請求項１３〜１５のいずれかに記載のキー選択画面の表示制御プログラム。
【請求項１７】
１個または複数個のジョブ履歴と各ジョブで実行されたジョブの動作モードを記憶手段に記憶するステップと、ユーザによって前記いずれかのジョブ履歴が選択されたときに、ジョブ履歴に対応するジョブの動作モードまたは動作モード設定キーを、非表示に変更されている動作モード設定キーまたはこれに対応する動作モードと、非表示に変更されていない動作モード設定キーまたはこれに対応する動作モードとで区別して表示手段に表示するステップとをさらにコンピュータに実行させ、
前記復元ステップでは、前記表示された非表示に変更されている動作モード設定キーまたはこれに対応する動作モードの中から選択された動作モード設定キーまたは選択された動作モードに対応する動作モード設定キーを、前記キー選択画面に復元表示させる処理をコンピュータに実行させる請求項１３〜１６のいずれかに記載のキー選択画面の表示制御プログラム。
【請求項１８】
ユーザの操作補助として動作モード設定キーについて説明するヘルプ画面において、非表示に変更されている動作モード設定キーと非表示に変更されていない動作モード設定キーとを区別して表示手段に表示するステップをさらにコンピュータに実行させ、
前記復元ステップでは、前記表示された非表示に変更されている動作モード設定キーの中から選択された動作モード設定キーを前記キー選択画面に復元表示させる処理をコンピュータに実行させる請求項１３〜１７のいずれかに記載のキー選択画面の表示制御プログラム。
【発明の詳細な説明】
【技術分野】
【０００１】
この発明は、操作パネル部等の表示手段に表示され、動作モードを設定するための複数の動作モード設定キーをユーザに選択させるためのキー選択画面を、ユーザがカスタマイズ可能な画像形成装置等の画像処理装置、同装置におけるキー選択画面の表示方法及び表示制御プログラムに関する。
【背景技術】
【０００２】
近年、ＭＦＰ（Multi Function Peripherals）と称される多機能デジタル画像形成装置等の画像処理装置では、多くの機能が搭載されている。このような画像処理装置では、これら機能の動作モードを設定するための各動作モード設定キーを操作パネル部の画面上に表示したり、一つの画面中で階層構造で表示するものとなされている。
【０００３】
ユーザの多くは、画像形成装置に搭載された多くの機能の中で基本機能のみを使用するか、あるいは装置を利用する環境やユーザの業務に応じて利用する機能はある程度決まっている。しかし、操作パネル部の画面に表示される動作モード設定キーが多いと、利用したい目的の機能のキーと不必要な機能のキーとが混在して、それらが分かりにくかったり、目的の機能を操作するための操作手順が多くなってしまうといった問題がある。
【０００４】
そのため、利用形態が異なるユーザに対応し、ユーザの利用環境に応じて不必要な動作モード設定キーを表示させないように画面上のキー表示をカスタマイズするという対応が考えられる。
【０００５】
このようなカスタマイズに関する技術として、不必要な動作モード設定キーを操作部から削除したり、グレーアウトするようにした技術が提案されている（例えば、特許文献１参照）。
【先行技術文献】
【特許文献】
【０００６】
【特許文献１】特開２００２−３６１９８６号公報
【発明の概要】
【発明が解決しようとする課題】
【０００７】
しかし、ユーザが利用しない動作モード設定キーを非表示に変更して操作パネル部の画面表示をカスタマイズしている場合、非表示に変更したキーについてはその機能を直ちには利用できないという問題がある。
【０００８】
つまり、ユーザが普段使用しない機能を利用したい場合、まず、表示部のカスタマイズ設定画面で利用したい機能についての動作モード設定キーを表示させ、該キーを使用して動作モードを設定しジョブを実行した後、再度カスタマイズ設定画面に戻って元のカスタマイズ状態に戻す、という操作を行う必要がある。
【０００９】
非表示に変更している動作モード設定キーは、通常、ユーザが使用していない機能についてのものであるので、どのキーが使用したい機能かが分からない場合もあり、そのため、動作モードを設定する前にカスタマイズ設定画面でカスタマイズし直す必要があり、このような操作は、ユーザにとってかなり面倒なものとなる。
【００１０】
この発明は、上記実情に鑑みてなされたものであり、カスタマイズによって非表示に変更されている動作モード設定キーを、簡単な手順で復元表示して速やかにその機能を利用できる使い勝手の良い画像処理装置及び同装置におけるキー選択画面の表示方法を提供し、さらには前記方法を画像処理装置のコンピュータに実行させるための表示制御プログラムを提供することを課題としている。
【課題を解決するための手段】
【００１１】
上記課題は、以下の手段によって解決される。
（１）動作モードを設定するための動作モード設定キーが表示されたキー選択画面を表示可能な表示手段と、ユーザの操作に基づいて、前記キー選択画面に表示される複数の前記動作モード設定キーの中の少なくとも一つの設定キーを非表示に変更するカスタマイズ手段と、前記カスタマイズ手段により非表示に変更された動作モード設定キーを、前記キー選択画面に復元表示させる復元手段と、を備えていることを特徴とする画像処理装置。
（２）前記復元手段は、前記非表示に変更された動作モード設定キーを、非表示に変更されていない動作モード設定キーとは表示態様を区別して前記キー選択画面に復元表示させる前項１に記載の画像処理装置。
（３）前記表示手段は、前記非表示に変更された動作モード設定キーを一覧表示可能であり、前記復元手段は、前記一覧表示された複数個の動作モード設定キーの中から選択された動作モード設定キーを前記キー選択画面に復元表示させる前項１または２に記載の画像処理装置。
（４）前記復元手段は、前記非表示に変更された動作モード設定キーを、カスタマイズされる前と同じレイアウトで前記キー選択画面に復元表示させる前項１〜３のいずれかに記載の画像処理装置。
（５）１個または複数個のジョブ履歴と各ジョブで実行されたジョブの動作モードを記憶する記憶手段を有し、前記表示手段は、ユーザによって前記いずれかのジョブ履歴が選択されたときに、ジョブ履歴に対応するジョブの動作モードまたは動作モード設定キーを、非表示に変更されている動作モード設定キーまたはこれに対応する動作モードと、非表示に変更されていない動作モード設定キーまたはこれに対応する動作モードとを区別して表示可能であり、前記復元手段は、前記表示された非表示に変更されている動作モード設定キーまたはこれに対応する動作モードの中から選択された動作モード設定キーまたは選択された動作モードに対応する動作モード設定キーを、前記キー選択画面に復元表示させる前項１〜４のいずれかに記載の画像処理装置。
（６）前記表示手段は、ユーザの操作補助として動作モード設定キーについて説明するヘルプ画面において、非表示に変更されている動作モード設定キーと非表示に変更されていない動作モード設定キーとを区別して表示可能であり、前記復元手段は、前記表示された非表示に変更されている動作モード設定キーの中から選択された動作モード設定キーを前記キー選択画面に復元表示させる前項１〜５のいずれかに記載の画像処理装置。
（７）動作モードを設定するための動作モード設定キーが表示されたキー選択画面を表示手段に表示するステップと、ユーザの操作に基づいて、前記キー選択画面に表示される複数の前記動作モード設定キーの中の少なくとも一つの設定キーを非表示に変更するステップと、前記非表示に変更された動作モード設定キーを、前記キー選択画面に復元表示させる復元ステップと、を備えていることを特徴とする画像処理装置におけるキー選択画面の表示方法。
（８）前記復元ステップでは、前記非表示に変更された動作モード設定キーを、非表示に変更されていない動作モード設定キーとは表示態様を区別して前記キー選択画面に復元表示させる前項７に記載のキー選択画面の表示方法。
（９）前記非表示に変更された動作モード設定キーを表示手段に一覧表示するステップを備え、前記復元ステップでは、前記一覧表示された複数個の動作モード設定キーの中から選択された動作モード設定キーを前記キー選択画面に復元表示させる前項７または８に記載のキー選択画面の表示方法。
（１０）前記復元ステップでは、前記非表示に変更された動作モード設定キーを、カスタマイズされる前と同じレイアウトで前記キー選択画面に復元表示させる前項７〜９のいずれかに記載のキー選択画面の表示方法。
（１１）１個または複数個のジョブ履歴と各ジョブで実行されたジョブの動作モードを記憶手段に記憶するステップと、ユーザによって前記いずれかのジョブ履歴が選択されたときに、ジョブ履歴に対応するジョブの動作モードまたは動作モード設定キーを、非表示に変更されている動作モード設定キーまたはこれに対応する動作モードと、非表示に変更されていない動作モード設定キーまたはこれに対応する動作モードとを区別して表示手段に表示するステップとを備え、前記復元ステップでは、前記表示された非表示に変更されている動作モード設定キーまたはこれに対応する動作モードの中から選択された動作モード設定キーまたは選択された動作モードに対応する動作モード設定キーを、前記キー選択画面に復元表示させる前項７〜１０のいずれかに記載のキー選択画面の表示方法。
（１２）ユーザの操作補助として動作モード設定キーについて説明するヘルプ画面において、非表示に変更されている動作モード設定キーと非表示に変更されていない動作モード設定キーとを区別して表示手段に表示するステップを備え、前記復元ステップでは、前記表示された非表示に変更されている動作モード設定キーの中から選択された動作モード設定キーを前記キー選択画面に復元表示させる前項７〜１１のいずれかに記載のキー選択画面の表示方法。
（１３）動作モードを設定するための動作モード設定キーが表示されたキー選択画面を表示手段に表示するステップと、ユーザの操作に基づいて、前記キー選択画面に表示される複数の前記動作モード設定キーの中の少なくとも一つの設定キーを非表示に変更するステップと、前記非表示に変更された動作モード設定キーを、前記キー選択画面に復元表示させる復元ステップと、を画像処理装置のコンピュータに実行させるためのキー選択画面の表示制御プログラム。
（１４）前記復元ステップでは、前記非表示に変更された動作モード設定キーを、非表示に変更されていない動作モード設定キーとは表示態様を区別して前記キー選択画面に復元表示させる処理をコンピュータに実行させる前項１３に記載のキー選択画面の表示制御プログラム。
（１５）前記非表示に変更された動作モード設定キーを表示手段に一覧表示するステップをさらにコンピュータに実行させ、前記復元ステップでは、前記一覧表示された複数個の動作モード設定キーの中から選択された動作モード設定キーを前記キー選択画面に復元表示させる処理をコンピュータに実行させる前項１３または１４に記載のキー選択画面の表示制御プログラム。
（１６）前記復元ステップでは、前記非表示に変更された動作モード設定キーを、カスタマイズされる前と同じレイアウトで前記キー選択画面に復元表示させる処理をコンピュータに実行させる前項１３〜１５のいずれかに記載のキー選択画面の表示制御プログラム。
（１７）１個または複数個のジョブ履歴と各ジョブで実行されたジョブの動作モードを記憶手段に記憶するステップと、ユーザによって前記いずれかのジョブ履歴が選択されたときに、ジョブ履歴に対応するジョブの動作モードまたは動作モード設定キーを、非表示に変更されている動作モード設定キーまたはこれに対応する動作モードと、非表示に変更されていない動作モード設定キーまたはこれに対応する動作モードとを区別して表示手段に表示するステップとをさらにコンピュータに実行させ、前記復元ステップでは、前記表示された非表示に変更されている動作モード設定キーまたはこれに対応する動作モードの中から選択された動作モード設定キーまたは選択された動作モードに対応する動作モード設定キーを、前記キー選択画面に復元表示させる処理をコンピュータに実行させる前項１３〜１６のいずれかに記載のキー選択画面の表示制御プログラム。
（１８）ユーザの操作補助として動作モード設定キーについて説明するヘルプ画面において、非表示に変更されている動作モード設定キーと非表示に変更されていない動作モード設定キーとを区別して表示手段に表示するステップをさらにコンピュータに実行させ、前記復元ステップでは、前記表示された非表示に変更されている動作モード設定キーの中から選択された動作モード設定キーを前記キー選択画面に復元表示させる処理をコンピュータに実行させる前項１３〜１７のいずれかに記載のキー選択画面の表示制御プログラム。
【発明の効果】
【００１２】
前項（１）に記載の発明によれば、ユーザが普段利用しない機能についての動作モード設定キーをキー選択画面上での非表示に変更して容易にカスタマイズできることは元より、非表示に変更した動作モード設定キーを、前記キー選択画面に復元表示させることができるから、カスタマイズをやり直さなくても、非表示に変更した動作モード設定キーに対応する機能を速やかに利用することができる。
【００１３】
前項（２）に記載の発明によれば、非表示に変更された動作モード設定キーを、非表示に変更されていない動作モード設定キーとは表示態様を区別して前記キー選択画面に復元表示させるから、ユーザは復元したキーを容易に認識することができる。
【００１４】
前項（３）に記載の発明によれば、表示手段に一覧表示された複数個の動作モード設定キーの中から所望の動作モード設定キーをユーザが選択することにより、キー選択画面に復元表示させることができる。
【００１５】
前項（４）に記載の発明によれば、非表示に変更された動作モード設定キーが、カスタマイズされる前と同じレイアウトでキー選択画面に復元表示される。
【００１６】
前項（５）に記載の発明によれば、ユーザはいずれかのジョブ履歴を選択すると、ジョブ履歴に対応するジョブの動作モードまたは動作モード設定キーが、非表示に変更されている動作モード設定キーまたはこれに対応する動作モードと、非表示に変更されていない動作モード設定キーまたはこれに対応する動作モードとを区別して表示され、さらにユーザが非表示に変更されている動作モードまたは動作モード設定キーの中からいずれかの動作モードまたはキーを選択することで、そのキーまたは選択された動作モードに対応するキーが、キー選択画面に復元表示される。従って、ユーザはジョブ履歴選択画面を利用して、非表示に変更されている動作モード設定キーをキー選択画面に復元表示させることができる。
【００１７】
前項（６）に記載の発明によれば、ユーザの操作補助として動作モード設定キーについて説明するヘルプ画面において、非表示に変更されている動作モード設定キーと非表示に変更されていない動作モード設定キーとが区別して表示され、ユーザが非表示に変更されている動作モード設定キーの中からいずれかのキーを選択することで、そのキーがキー選択画面に復元表示される。従って、ユーザは動作モード設定キーについてのヘルプ画面を利用して、非表示に変更されている動作モード設定キーをキー選択画面に復元表示させることができる。
【００１８】
前項（７）に記載の発明によれば、ユーザは非表示に変更した動作モード設定キーを、キー選択画面に復元表示させることができるから、カスタマイズをやり直さなくても、非表示に変更した動作モード設定キーに対応する機能を速やかに利用することができる。
【００１９】
前項（８）に記載の発明によれば、非表示に変更された動作モード設定キーを、非表示に変更されていない動作モード設定キーとは表示態様を区別して前記キー選択画面に復元表示させるから、ユーザは復元したキーを容易に認識することができる。
【００２０】
前項（９）に記載の発明によれば、表示手段に一覧表示された複数個の動作モード設定キーの中から所望の動作モード設定キーをユーザが選択することにより、キー選択画面に復元表示させることができる。
【００２１】
前項（１０）に記載の発明によれば、非表示に変更された動作モード設定キーが、カスタマイズされる前と同じレイアウトでキー選択画面に復元表示される。
【００２２】
前項（１１）に記載の発明によれば、ユーザはジョブ履歴選択画面を利用して、非表示に変更されている動作モード設定キーをキー選択画面に復元表示させることができる。
【００２３】
前項（１２）に記載の発明によれば、ユーザは動作モード設定キーについてのヘルプ画面を利用して、非表示に変更されている動作モード設定キーをキー選択画面に復元表示させることができる。
【００２４】
前項（１３）に記載の発明によれば、非表示に変更した動作モード設定キーを、キー選択画面に復元表示させる処理を画像処理装置のコンピュータに実行させることができる。
【００２５】
前項（１４）に記載の発明によれば、非表示に変更された動作モード設定キーを、非表示に変更されていない動作モード設定キーとは表示態様を区別して前記キー選択画面に復元表示させる処理をコンピュータに実行させることができる。
【００２６】
前項（１５）に記載の発明によれば、非表示に変更された動作モード設定キーを表示手段に一覧表示し、この一覧表示された複数個の動作モード設定キーの中から選択された動作モード設定キーをキー選択画面に復元表示させる処理をコンピュータに実行させることができる。
【００２７】
前項（１６）に記載の発明によれば、非表示に変更された動作モード設定キーを、カスタマイズされる前と同じレイアウトで前記キー選択画面に復元表示させる処理をコンピュータに実行させることができる。
【００２８】
前項（１７）に記載の発明によれば、ユーザによりいずれかのジョブ履歴が選択されると、ジョブ履歴に対応するジョブの動作モードまたは之に対応する動作モード設定キーを、非表示に変更されている動作モードまたはこれに対応する動作モード設定キーと、非表示に変更されていない動作モードモードまたはこれに対応する動作モード設定キーとを区別して表示し、さらにユーザが非表示に変更されている動作モード設定キーまたはこれに対応する動作モードの中からいずれかのキーまたは動作モードを選択すると、その選択されたキーまたは選択された動作モードに対応するキーを、キー選択画面に復元表示する処理をコンピュータに実行させることができる。
【００２９】
前項（１８）に記載の発明によれば、ユーザの操作補助として動作モード設定キーについて説明するヘルプ画面において、非表示に変更されている動作モード設定キーと非表示に変更されていない動作モード設定キーとを区別して表示手段に表示するとともに、この表示された非表示に変更されている動作モード設定キーの中から選択された動作モード設定キーをキー選択画面に復元表示させる処理をコンピュータに実行させることができる。
【発明を実施するための形態】
【００３０】
以下、この発明の一実施形態を図面に基づいて説明する。
【００３１】
図１は、この発明の一実施形態に係る画像処理装置としての前述した多機能デジタル画像形成装置（以下、ＭＦＰともいう）の電気的構成を示すブロック図である。
【００３２】
図１において、このＭＦＰは、ＣＰＵ１と、ＲＡＭ２と、ＲＯＭ３と、不揮発性メモリ４と、記憶部（ＨＤＤ）５と、ネットワークカード６と、ファクシミリ（ＦＡＸ）モデム７と、スキャナ部８と、プリンタ部９と、操作パネル部１０とを備えており、これらはバス１１により互いに接続されている。
【００３３】
前記ＣＰＵ１は、ＭＦＰの全体動作を統括的に制御するものであるが、特にこの実施形態では、後述する操作パネル部１０の表示部１２のキー選択画面に表示される複数の動作モード設定キーの中から、ユーザが利用しないキーを非表示に変更してカスタマイズできるカスタマイズ機能や、前記非表示に変更されている動作モード設定キーを前記表示部１２のキー選択画面に復元表示させる復元機能等を有している。
【００３４】
前記ＲＡＭ２は、ＣＰＵ１が動作する際の作業領域を提供するメモリであり、また、ＲＯＭ３は、ＣＰＵ１の動作プログラム等を記憶するメモリである。
【００３５】
前記不揮発メモリ４は、例えば動作モードの設定内容やジョブ履歴情報等を記憶するものである。
【００３６】
前記記憶部５は例えばハー時ディスク装置（ＨＤＤ）等からなり、画像データ等の各種データやアプリケーション等が記憶されている。
【００３７】
前記ネットワークカード６は、ＬＡＮ等のネットワークを介して接続されているユーザ端末（図示せず）等の外部機器との間での通信を司るものである。
【００３８】
前記ＦＡＸモデム７は、電話回線に接続するための変調・復調装置である。
【００３９】
前記スキャナ部８は、原稿画像を読み取って電子データである画像データに変換するものである。
【００４０】
前記プリンタ部９は、スキャナ部８で読み取られた原稿の画像データや、ユーザ端末等の外部機器から送信されてきた画像データ等をプリントするものである。
【００４１】
前記操作パネル部１０は、ユーザが入力操作等に用いるものであり、テンキー、スタートキー、ストップキー等のキーを有する操作キー部１１と、表示部１２とを備えている。この表示部１２は、例えば後述するキー選択画面などの各種操作画面、装置の状態、メッセージ等を表示するものであり、タッチパネル式の液晶等からなる。
【００４２】
表示部１２には、通常はプリント、コピー、ファクシミリなど基本機能の動作モードを設定するための基本画面が表示されているが、この実施形態では、ユーザが基本機能以外の応用機能を使用したいときには、画面の表示を、基本画面から応用機能の動作モードを設定するための複数の動作モード設定キーが表示されたキー選択画面に遷移させるものとなされている。
【００４３】
図２はカスタマイズされる前のキー選択画面Ａ１を示すものである。このキー選択画面Ａ１は、「応用機能」タブをタッチ操作することで、基本画面から遷移するものとなされており、「基本機能」タブをタッチすれば再度基本画面に遷移するものとなされている。なお、図２に示す例では、「原稿指定」タブをタッチすれば原稿指定画面に遷移し、「画質／濃度」タブにタッチすれば画質／濃度設定画面に遷移するものとなされている。
【００４４】
図２のキー選択画面Ａ１には、動作モード設定キーとして「ページ編集」、「カラー編集」、「連写／リピート」、「とじしろ」、「画像の収め方」、「小冊子」、「消去」、「スタンプ」、「保存」の各動作モード設定キーが表示されている。
【００４５】
図２の画面Ａ１において、別の領域Ａ０には、「ジョブ履歴」、「ヘルプ」の各キーが表示されており、「ジョブ履歴」キーを押下するとジョブ履歴が表示され、「ヘルプ」キーを押下すると、動作モード設定キーの説明が表示されるヘルプ画面に遷移するものとなされている。
【００４６】
図３は、ユーザが利用環境に応じて不必要なキーを非表示に設定変更するためのカスタマイズ設定画面Ａ２である。
【００４７】
図３において、カスタマイズ設定画面Ａ２には、ユーザが非表示に変更させたい動作モード設定キーを選択させるために、「表示変更するキーを選択して下さい。」のメッセージが表示されている。この例では、「ページ編集」、「カラー編集」、「連写／リピート」、「とじしろ」、「画像の収め方」、「小冊子」、「消去」、「スタンプ」、「保存」の各動作モード設定キーのうち、例えば  「カラー編集」、「連写／リピート」、「小冊子」、「消去」、「保存」の各動作モード設定キーが非表示（消去）したいものとして選択されている。なお、このカスタマイズ設定画面Ａ２では、非表示に変更したい動作モード設定キーの外周縁を黒肉太（黒枠状）にして表示してある。
【００４８】
前記カスタマイズ設定画面Ａ２には、「復元」キーと「消去」キーが表示されており、ユーザが非表示に設定変更したいキーを選択し、「消去キー」を押下することにより、図４に示すカスタマイズされたキー選択画面Ａ３に遷移する。以後、「応用機能」タブが選択されると、このキー選択画面Ａ３が表示される。
【００４９】
このカスタマイズされたキー選択画面Ａ３には、非表示に設定変更された「カラー編集」、「連写／リピート」、「小冊子」、「消去」、「保存」の各動作モード設定キーが消去されて、「ページ編集」、「とじしろ」、「画像の収め方」、「スタンプ」の各キーのみが表示されている。
【００５０】
なお、このカスタマイズされた動作モード設定画面Ａ３における別領域Ａ０には、非表示に変更された動作モード設定キーを復元したい場合に押下される「キー復元」キーが表示されている。
【００５１】
図４におけるカスタマイズされたキー選択画面Ａ３において、領域Ａ０における「キー復元」キーを押下すれば、図５に示すように、この「キー復元」キーが押下されたことが明示されるとともに（図５では「キー復元」キーを太枠で示している）、カスタマイズされたキー選択画面Ａ３中に、非表示に変更されている動作モード設定キーの一覧を示す非表示キー一覧画面Ａ３１が表示される。
【００５２】
この非表示キー一覧画面Ａ３１には、「カラー編集」、「連写／リピート」、「小冊子」、「消去」、「保存」の各動作モード設定キーが、例えば縦に並んで一覧表示されている。
【００５３】
図５に示す非表示キー一覧画面Ａ３１において、ユーザが一時的に利用したい機能に対する動作モード設定キー、例えば「小冊子」キーを選択し（図５では選択されたことを黒枠状で示している）、「キー復元」キーを押下すれば、非表示キー一覧画面Ａ３１が消えて図６に示すように、非表示キーが復元されたキー選択画面Ａ４に遷移する。
【００５４】
図６のキー選択画面Ａ４には、非表示に設定変更されなかった動作モード設定キーである「ページ編集」、「とじしろ」、「画像の収め方」、「スタンプ」の各キーの他に、図５の非表示キー一覧画面Ａ３１で選択された「小冊子」キーが復元表示されている。このとき、復元された「小冊子」キーは非表示に設定変更されていない「ページ編集」、「とじしろ」、「画像の収め方」、「スタンプ」の各キーとは異なる表示態様で区別されて表示される。図６では、「小冊子」キーの表示態様が異なることを太枠で示している。
【００５５】
なお、異なる表示態様は、表示の濃淡、色の相違、フォントの相違、キーの大きさの相違等で実現すれば良く、特に限定されない。
【００５６】
また、キー選択画面Ａ４における別領域Ａ０には、「キー復元」キーと「通常パネル」キーとが表示されている。「キー復元」キーを押下すると、図５で説明したのと同様に、非表示に変更された動作モード設定キーの一覧リストが表示され、リスト中のいずれかの動作モード設定キーが選択されると、この選択されたキーが追加で復元されたキー選択画面に移行する。一方、「通常パネル」キーが押下された場合については後述する。
【００５７】
このように、非表示に変更された動作モード設定キーをユーザが一時的に使用したい場合に、「キー復元」キーを押下すれば、非表示に変更された動作モード設定キーの一覧が表示されるので、直ぐに利用したい動作モード設定キーを選択できる。しかも、この選択された動作モード設定キーは、キー選択画面Ａ４に、非表示に変更されていない動作モード設定キーとは表示態様を区別して復元表示されるので、ユーザは復元された動作モード設定キーを直ちに認識することができる。
【００５８】
次に、不必要な動作モード設定キーを非表示にし、それを復元表示する際の画面表示の処理の流れを図７に示すフローチャートを参照して説明する。
【００５９】
図７において、ステップＳ１では、表示部１２のキー選択画面の表示がカスタマイズされているか否かを判断し、キー選択画面の表示がカスタマイズされていれば（ステップＳ１でＹＥＳ）、ステップＳ２では、「キー復元」キーを表示し（図４参照）、ステップＳ３に進む。キー選択画面の表示がカスタマイズされていなければ（ステップＳ１でＮＯ）、ステップＳ８に進み、図２のカスタマイズされていない通常のキー選択画面Ａ１を表示して終了する。
【００６０】
ステップＳ３では、「キー復元」キーが押下されたか否かを判別し、「キー復元」キーが押下されれば（ステップＳ３でＹＥＳ）、ステップＳ４では、非表示に変更されている動作モード設定キーを一覧表示して（図５）、ステップＳ５に進む。「キー復元」キーが押下されていなれば（ステップＳ３でＮＯ）、ステップＳ７では、カスタマイズされたキー選択画面Ａ３（図４）を表示して終了する。
【００６１】
ステップＳ５では、非表示に変更された動作モード設定キーの復元指示があるか否かを判断し、復元指示があれば（ステップＳ５でＹＥＳ）、ステップＳ６では、非表示に変更されていた動作モード設定キーを、カスタマイズされたキー選択画面Ａ３に図６に示すように復元・表示して終了する。非表示に変更された動作モード設定キーの復元指示がなければ（ステップＳ５でＮＯ）、ステップＳ７に進み、カスタマイズされたキー選択画面Ａ３を表示して終了する。
【００６２】
図８は、図６に示したキー選択画面Ａ４の別領域Ａ０に表示された「通常パネル」キーが押下されたときに遷移するキー選択画面Ａ５を示す。
【００６３】
図８のキー選択画面Ａ５では、図２に示すカスタマイズ前の通常表示画面Ａ２のキーレイアウトと同じレイアウトで、非表示に設定変更されていない動作モード設定キーと、非表示に設定変更された動作モード設定キーが、表示態様を変えて表示されている。なお、図８では、非表示に設定変更された動作モード設定キーの表示態様が異なることを太枠で示している。
【００６４】
これにより、ユーザは、自分が非表示に変更した動作モード設定キーを一目で把握することが可能となる。
【００６５】
次に、ヘルプ画面から所望の動作モード設定キーをキー選択画面に復元させる例について、図９を参照して説明する。
【００６６】
図９は動作モード設定キーで利用できる機能を詳細に説明するための画面、いわゆるヘルプ画面Ａ６を示す。この画面は、例えば図４のキー選択画面Ａ３における「ヘルプ」キーを押下することにより表示される。
【００６７】
図９のヘルプ画面Ａ６においては、非表示に変更されていない動作モード設定キーと、非表示に変更された動作モード設定キーを含む全ての動作モード設定キーが一覧表示されている。そして、ユーザが画面Ａ６中の右側部位にある上下矢印を操作することで、いずれかの動作モード設定キーを選択すると、その動作モード設定キーで実行可能な機能についての説明が表示されるようになっている。図９の例では、「小冊子」のキーが選択され、その説明が説明画面Ｄ１に表示されている。
【００６８】
また、前記ヘルプ画面Ａ６においては、非表示に変更されていない動作モード設定キーと、非表示に変更された動作モード設定キーとが、異なる表示態様で区別して表示されている。図９の例では、「ページ編集」、「とじしろ」、「画像の収め方」、「スタンプ」という非表示に変更されていない動作モード設定キーが、「カラー編集」、「連写／リピート」、「小冊子」、「消去」、「保存」という非表示に変更されている動作モード設定キーに対して、肉太で表示されている。従って、ユーザは非表示に変更されている動作モード設定キーを一目で認識することができる。
【００６９】
このヘルプ画面Ａ６において、ユーザが、非表示に変更されている動作モード設定キーの中のいずれかを指定し、「復元」キーを押下すると、この指定された動作モード設定キーが、キー選択画面に復元表示されるものとなされている。
【００７０】
このように、動作モード設定キーのヘルプ画面からの操作により、非表示に変更されている動作モード設定キーをキー選択画面に復元表示させることができるから、ユーザにとって便利で使い勝手の良いものとなる。
【００７１】
次に、過去のジョブ履歴から所望の動作モード設定キーをキー選択画面に復元させる例について、図１０及び図１１を参照して説明する。
【００７２】
図１０は、過去のジョブ履歴を一覧表示したジョブ履歴画面Ａ７を示す。この画面は、例えば図４のキー選択画面Ａ３における「ジョブ履歴」キーを押下することにより表示される。
【００７３】
また、ジョブ履歴画面Ａ７には、選択されたジョブの詳細を指示するための「詳細」キーが表示されている。
【００７４】
ユーザが、ジョブ履歴画面Ａ７において、画面の右側部位にある上下矢印の選択キーを操作することにより、一覧表示されたジョブ履歴の中からいずれかのジョブ履歴を選択し（図１０ではＮｏ４の「コピー」ジョブが選択されている）、「詳細」キーを押下すれば、Ｎｏ４の「コピー」ジョブについての図１１のジョブ履歴のモード画面Ａ８に遷移する。
【００７５】
図１１のジョブ履歴のモード画面Ａ８には、選択されたジョブの詳細、具体的には複数の動作モードが表示されており、非表示に変更された動作モード設定キーで設定された動作モードと、非表示に変更されていない動作モード設定キーで設定された動作モードとが、異なる表示態様で区別して表示されている。図１１では、「用紙」「倍率」「原稿→コピー」「カラー」の各動作モードが、「とじしろ」「シフト」「仕上がり」の各動作モードに対して太字で示されている。
【００７６】
このジョブ履歴のモード画面Ａ８において、非表示に変更された動作モード設定キーで設定された動作モードを選択し、「復元」キー押下すれば、選択された動作モードを設定した動作モード設定キー（例えば「カラー編集」キー）が、キー選択画面に復元表示される。
【００７７】
このように、ユーザはジョブ履歴画面を利用して、非表示に変更された動作モード設定キーを復元できるから、例えばユーザが以前は利用していたが、利用しなくなったためにカスタマイズして非表示に変更した場合や、ユーザ毎にキー選択画面をカスタマイズしている場合に、他のユーザが実行したジョブ履歴から設定キーを復元することが可能となり、ジョブのやり直しが生じた場合や他のユーザから作業を依頼された場合等に利用することができる。
【００７８】
なお、図１１の例では、ジョブの動作モードを表示したが、動作モード設定キーを直接に表示しても良い。
【図面の簡単な説明】
【００７９】
【図１】この発明の一実施形態に係る画像処理であるＭＦＰの電気的構成を示すブロック図である。
【図２】同じくＭＦＰの表示部に表示されたカスタマイズされる前の通常のキー選択画面である。
【図３】同じく表示部に表示されたカスタマイズ設定画面である。
【図４】同じくカスタマイズされた後のキー選択画面である。
【図５】非表示に変更されたキーの一覧表示画面である。
【図６】同じく非表示に変更されたキーが復元された時のキー選択画面である。
【図７】同じく非表示されたキーを復元する際の画面表示処理の流れを示すフローチャートである。
【図８】カスタマイズ前の通常のレイアウトで非表示キーを復元した状態のキー選択画面である。
【図９】ユーザが利用したい機能を説明するためのヘルプ画面である。
【図１０】ジョブ履歴画面である。
【図１１】同じくジョブのモード画面である。
【符号の説明】
【００８０】
１      ＣＰＵ
２      ＲＡＭ
３      ＲＯＭ
５      記憶部
１１    操作パネル部
１２    表示部
【図１】
2011066840.tif 000003
【図２】
2011066840.tif 000004
【図３】
2011066840.tif 000005
【図４】
2011066840.tif 000006
【図５】
2011066840.tif 000007
【図６】
2011066840.tif 000008
【図７】
2011066840.tif 000009
【図８】
2011066840.tif 000010
【図９】
2011066840.tif 000011
【図１０】
2011066840.tif 000012
【図１１】
2011066840.tif 000013